(57)【特許請求の範囲】
【請求項１】
患者の取付部位に固定するパウチ貼付部と、流れ出した液状体や固形物を収集する収集空間を有した収集部と、前記収集部の下端頂点にあり外部連通孔開口部となるドレーンと、前記取付部位に固定したときに前記収集部の収集開口部を備えた医療用パウチであって、前記収集部は、不繊布または円状有孔シートからなるフィルタにより上側空間と下側空間とに分割され、前記収集開口部は、その縁辺がホースにより自然に開口される構造であり、かつ前記医療用パウチの各部は、ポリエチレン、ポリプロピレンから選ばれるオレフィン系素材で作られることを特徴とする医療用パウチ。
【請求項２】
前記ドレーンの外径が排出チューブの内径よりも小さく、前記ドレーンの先端が前記排出チューブに挿入されて前記ドレーンと前記排出チューブが連結されることを特徴とする請求項１に記載の医療用パウチ。
【請求項３】
前記パウチ貼付部に延長してオレフィン系素材の患部載置用シートが接続されてなることを特徴とする請求項１に記載の医療用パウチ。
【請求項４】
前記収集部は、その側面にさらに変性ブタジエンゴム製の伸縮性シートが配され、前記収集部と前記伸縮性シートには患者の四肢を貫通させる穴が形成されていることを特徴とする請求項１に記載の医療用パウチ。
【発明の詳細な説明】
【０００１】
【発明の属する技術分野】
本発明は、手術等に使用される医療用パウチに関する。
【０００２】
【従来の技術】
医療用パウチは、医療用、特に手術の際に流れ出す血液などの体液や、生理食塩水などをもれなく収集することにより、体液を介した感染を防ぐものである。図９、図１０は、従来の医療用パウチの構成の一例であり、図９は斜視図、図１０は図９のＤ−Ｄ’断面を示す斜視図である。手術中、手術患者から流出した血液はこの医療用パウチで収集され、肉片などの固体と分離され、更にトラップに導入されてその出血量が把握される。これにより出血量に応じた輸血を行なって手術患者の生命を維持することができる。
【０００３】
図９、図１０において、２１は医療用パウチ本体、２２は医療用パウチ本体２１を手術患者の手術部位付近に固定するための両面テープ２３が裏面に貼付されているパウチ貼付部、２４は手術患者から手術により流出した血液などを収集する逆三角錐形状の空間を有した収集部、２５は収集部２４の収集開口部、２６は医療用パウチ本体２１をパウチ貼付部２２により手術患者の手術部位付近に固定したときに開口部２５が自然に半月形状に開口するように、収集開口部２５を形成する辺の一部に内装された、例えばポリウレタン製のスポンジからなる帯状内装体である。
【０００４】
２７は収集部２４の逆三角錐形状の空間を上側の空間と下側の空間に分割するフィルタであり、半月状のフィルタ孔２８が形成されている。このフィルタ孔２８は、塩化ビニールヘＵ字状に切り込みを入れることで形成され、フィルタ２７により分割された前記上側の空間へ流れ込んだ血液などに含まれる固形物を分離し、血液などの流状体のみをろ過し、フィルタ２７により分割された前記下側の空間へ排出する。
【０００５】
２９はフィルタ２７により分割された前記下側の空間へ排出された血液などの流状体を、図示していないチューブなどにより外部へ取り出すためのドレーンである。このドレーン２９は、フィルタ２７により分割された前記下側の空間の底部よりやや上方に外部への連通孔を有して構成されている。
【０００６】
図１１は、この医療用パウチの使用例を示す説明図であり、手術患者の手術部位の近傍下方ヘパウチ貼付部２２（図９参照）により医療用パウチ本体２１を貼り付け、手術中に前記手術部位から流出した血液などをフィルタ２７により固形物と分離して収集し、塩化ビニル製のチューブ３１により外部へ取り出す。
【０００７】
【発明が解決しようとする課題】
従来の医療用パウチは以上のように、塩化ビニールにＵ字状に切り込みを入れることで形成されたフィルタ孔２８により流状体と固形物とを分離していたので、完全に分離されず、固形物によりチューブ３１が詰まってしまう課題があった。
【０００８】
また、ドレーン２９は、フィルタ２７により分割された前記下側の空間の底部よりやや上方に外部への連通孔を有して構成されているため、前記下側の空間の底部に血液などの残留物が溜まり、収集した血液などを完全に外部へ取り出すことが出来ない課題があった。
【０００９】
さらに、近年では一度使用した医療用パウチは、他の医療廃棄物とともにすべて処分される。しかし、上述した帯状内装体のポリウレタンは、焼却処分するとシアンガスを発生する。また、塩化ビニルや一部のポリエステルは、ダイオキシンを構成する塩素やベンゼン核の供給源となるため、焼却すると環境に影響を及ぼすこととなる。
【００１０】
本発明は上記課題を解決するためになされたものであり、本発明の目的は、焼却しても有害物質を発生しない素材からなり、また、収集した血液などの流状体と固形物とを確実に分離でき、さらに収集した血液などの残留をなくして完全に外部へ取り出すことが出来る医療用パウチを提供することにある。
【００１１】
【課題を解決するための手段】
本発明は医療用パウチであり、患者の取付部位に固定するパウチ貼付部と、流れ出した液状体や固形物を収集する収集空間を有した収集部と、前記収集部の下端頂点にあり外部連通孔開口部となるドレーンと、前記取付部位に固定したときに前記収集部の収集開口部を備えた医療用パウチであって、前記収集部は、不繊布または円状有孔シートからなるフィルタにより上側空間と下側空間とに分割され、前記収集開口部は、その縁辺がホースにより自然に開口される構造であり、かつ前記医療用パウチの各部は、ポリエチレン、ポリプロピレンから選ばれるオレフィン系素材で作られることを特徴としたものである。
【００１２】
特に、ドレーンの外径が排出チューブの内径よりも小さく、ドレーンの先端が排出チューブに挿入されてドレーンと排出チューブが連結されている。
【００１３】
また、パウチ貼付部に延長してオレフィン系素材の患部載置用シートが接続されている。
【００１４】
さらに、収集部は、その側面にさらに変性ブタジエンゴム製の伸縮性シートが配され、前記収集部と前記伸縮性シートには患者の四肢を貫通させる穴が形成されている。
【００１７】
【発明の実施の形態】
以下、本発明の実施の形態について説明するが、本発明はこれに限定されるものではない。
図1は、本発明の第１の実施形態の医療用パウチを示す斜視図、図2（ａ）は図1に示した医療用パウチのA−A’断面を示す斜視図、図２（ｂ）は（ａ）におけるフィルタ表面を示す模式図である。
この医療用パウチは、手術の際に流れ出す血液などを収集し、肉片などと分離するものである。そして、手術中、手術患者から流出した血液はこの医療用パウチで収集され、さらにトラップに導入されてその出血量が把握される。これにより出血量に応じた輸血を行なって手術患者の生命を維持する。
また、この医療用パウチの素材はポリエチレンまたはポリプロピレンで代表されるオレフィン系素材により構成されている。これにより、使用後に焼却処分を行なう場合にダイオキシンなどの有害物質の発生が少なく、公害対策として優れている。素材の厚さは、取り扱いやすくかつ破損しにくい点で0.1mm程度が好ましいが、補強を要する箇所の厚さは特に限定されない。
【００１８】
図1および図2において、１は本実施の形態の医療用パウチ本体、2は医療用パウチ本体１を手術患者の手術部位付近（手術野）近傍に固定するための粘着性両面テープ3が裏面に貼付されているパウチ貼付部、4は手術患者から手術により流出した血液などの液状体を収集する逆三角錐形状の空間を有した収集部、5は収集部4の収集開口部、6は医療用パウチ本体１をパウチ貼付部2により手術患者の手術部位付近に固定したときに収集開口部5が自然に半月形状に開口するように、収集開口部５の縁辺内に空気を封入して膨らませたものである。これにより自然開口構造が形成されている。
自然開口構造は、空気を封入する代わりに、収集開口部5を形成する辺の一部にポリプロピレン製のホースを内装してもよい。
また、両面テープ3の幅は50mm前後が好ましい。
【００１９】
11は、収集部4の逆三角錐形状の空間を上側の空間と下側の空間に分割するフィルタであり、ポリエチレンまたはポリプロピレン製フィルムに、従来のＵ字状の切り込みの代わりに図２（ｂ）に示すように全円状の穴11ａ、11ｂを形成したものである。そして、フィルタ11により前記上側の空間へ流れ込んだ血液とともに流れ込んだ肉片などの固形物を血液と分離して、血液などの流状体のみをろ過し、フィルタ11により分割された前記下側の空間へ排出する。
固形物と粒状体との分離性の点から穴11ａの孔径は３〜５mmが好ましく、小径の穴11ｂはなくとも良い。フィルム厚は0.05mm前後が好ましい。
またフィルタ11は、ポリエチレン製の不織布を素材として使用したものでもよい。このとき、不織布はポリプロピレン製でもよく、メルトブローンによって形成されたものが、繊維が細く薄いので好ましい。
【００２０】
12はフィルタ11により分割された前記下側の空間へろ過されて排出された血液などの流状体を、チューブ13により外部へ取り出すためのドレーンである。このドレーン12もポリエチレン製で、フィルタ11により分割された前記下側の空間の逆三角錐形状の頂点となる位置に、外部への連通孔の開口部（外部連通孔の開口部）14を有している。チューブ13の素材は、ポリプロピレンまたは変成ブタジエンゴム等を用いるのが好ましい。
なお、手術の種類により、流出する流状体が外部へ導入する必要がない程度に少量な場合、ドレーンは閉口のものを用いてもよい。
【００２１】
次に、動作について説明する。
この医療用パウチの使用形態は、図９に示す従来の医療用パウチと同様であり、手術患者の手術部位の近傍下方ヘパウチ貼付部2により医療用パウチ本体１を貼り付け、手術中に前記手術部位から流出した血液などの流状体をフィルタ11により固形物と分離し、ろ過し、収集し、ドレーン12からチューブ13により外部へ取り出す。
【００２２】
この際、本実施の形態の医療用パウチ１では、フィルタ11には、全円状の多数の穴がほぼ全面に形成されているため、血液と、血液中の固形物との分離効果が優れており、血液と固形物とを確実に分離してろ過することが出来る。
【００２３】
また、ドレーン12の外部への連通孔の開口部14は、逆三角錐形状の頂点となるフィルタ11により分割された前記下側の空間の底部に開口しているため、フィルタ11により固形物と分割され、ろ過された前記下側の空間へ流れ込んだ液状体は、前記下側の空間の底部に溜まることなく、全て、チューブ13を介して外部へ取り出すことが出来る。
【００２４】
さらに、ドレーン１２は、その外部連通孔の外径がチューブ１３の内径よりも小さく、先端をチューブ１３に挿入して連結されるように形成されている。これにより、ドレーンの開口部１４からチューブ１３への流路がチューブ１３の厚みによって狭められないため、チューブ１３が詰まって液状体が滞留したり漏れ出したりすることがなくなる。さらにまた、ドレーン１２は、図２（ａ）のように医療用パウチ内側から取り付ければ、チューブ方向から引っ張り力が働いても、医療用パウチ本体からドレーン１２が外れにくくなる。
【００２５】
次に、本発明の別の実施形態について説明する。
図３は、本実施形態の医療用パウチの構成を示すもので、（ａ）は正面図、（ｂ）は（ａ）のＢ−Ｂ’断面図である。この医療用パウチは、収集する液状体が比較的大量である産科や泌尿器科などで主に用いられる形式である。
図３において、医療用パウチ本体１の収集部４は、手術患者から手術により流出した体液や生理食塩水などの液状体を収集する四角形状の空間を有し、ドレーン12は、外部連通孔を前記収集部４下端の両側の頂点となる位置にそれぞれ配している。
また、図３では、収集開口部５の縁辺内に空気６を封入して膨らませて、自然開口構造が形成されている。
【００２６】
本発明の、第３の実施形態について説明する。
図４は、本実施形態の医療用パウチの構成を示すもので、（ａ）は斜視図、（ｂ）は（ａ）のＣ−Ｃ’断面を示す斜視図である。この医療用パウチは、四肢の手術、特に関節部の場合には伸展状態での手術に用いられる形式である。
図４において、シート１６ａ、１６ｂは、対向して収集部４の側面に設けられ、患者の四肢を貫通させる穴１７ａ、１７ｂを有し、これらの穴と患者の四肢との接触部から液状体を漏らさないでものある。シートは伸縮性を有する変性ブタジエンゴム製であり、穴の直径は、患者の四肢の径に任意に対応して四肢に密着する範囲であり、例えば60〜65mm径が好ましい。
変性ブタジエンゴムはポリエチレンと同様、焼却しても有害物質の発生が少ない。また、同様に焼却しても有害物質の発生の少ないものであれば、天然ゴムなどの伸縮性を有する膜でも良い。
図４の自然開口構造は、収集開口部5を形成する辺の一部にポリエチレン製のホース（芯材）７が内装されている。ホース７は半月状に自然に開口するように、蛇腹状であることが好ましい。ホースは例えば11〜18mm径が好ましく、開口部の大きさによって適宜用いられ、例えば収集開口部5を形成する辺の全部に内装されていても良い。
【００２７】
次に、本発明の第４の実施形態を図５に示す。図５の医療用パウチは、前記第３の実施形態と同様に患部は四肢であるが、関節部を曲げた状態で手術するのに用いられる。患者の四肢を貫通させる穴１７ａ、１７ｂは１枚のシート１６に並んで設けられている。
これにより、例えば患部が腕の場合、穴１７ａに患者の上腕まで通し、穴１７ｂから下腕を外に出して肘を曲げた状態で施術できる。また、足の場合は穴１７ａに患者の大腿部まで通し、穴１７ｂから下肢を外に出して膝を曲げた状態で施術できる。
【００２８】
ついで、本発明の第５の実施形態を図６に示す。図６は前記第１の実施形態の医療用パウチのパウチ貼付部２に延長してポリエチレン製の患部載置用シート１８が接続されているものである。なお、図６中、フィルターを省略した。
大量に体液や生理食塩水等の流状体が流出する手術の場合、患者の患部の近傍下方ヘパウチ貼付部２により医療用パウチ本体を貼り付けても、収集開口部５から逸れて患者の身体を伝って漏出する流状体を、この患部載置用シート18により吸収することができる。シート１８は、医療用パウチ本体と同様0.1mm前後の厚さの液体不透過性フィルム18ａの片面すなわち患部の載置面に、不織布18ｂが積層されているものが好ましい。不織布は、例えば前記フィルターに使用するのと同様なものが挙げられる。
【００２９】
シートとパウチ貼付部との接続は、一体成形されていてもよいし、シートなしのものと兼用できるように、例えばパウチ貼付部の一部を使用した貼付により接続されていてもよい。
図６中では第１の実施形態の医療用パウチを用いたが、目的に応じて他の実施形態の医療用パウチであってもよい。
【００３０】
本発明の第６の実施形態の斜視図を図７に示す。図７は前記第５の実施形態の医療用パウチを応用、変形したものであり、フィルム18ａのうち三方が接着して、医療用パウチの開口部５に対向するように袋部18ｄを形成したものが医療用パウチ上端に接続され、さらに袋部18ｄには片面を防水加工した吸水シート18ｃが接続されている。
吸水シート18ｃは、前記第５の実施形態の医療用パウチにおける液体不透過性フィルム18ａに不織布18ｂを積層したものでも良い。
【００３１】
本発明の第７の実施形態を図８に示す。図８は前記第４の実施形態の医療用パウチの背面図であり、透けて見える正面の裏は省略している。２ａは補強のための芯材であり、具体的にはポリエチレンのパイプ、アルミニウム板等の芯材、または袋に封入した空気を使用する。芯材２ａは袋に封入してパウチ外側に貼付されるか、またはパウチ貼付部２縁辺内に収納される。
【００３２】
以上、ポリエチレン素材を中心として述べたが、本発明の医療パウチでは、ポリエチレン素材を、ポリプロピレンなどのオレフィン系素材に置き換えることができる。
【００３３】
【発明の効果】
以上、説明したように、本発明によれば、医療用パウチを構成する素材をポリエチレン、ポリプロピレンで代表されるオレフィン系素材または変性ブタジエンゴム（ポリマーブレンド）素材としたので、使用後に焼却処分した際にダイオキシン、シアンガスなどの有害物質の発生が少なく、公害対策として優れた効果を有する。
また、本発明によれば、固形物と流状体とを確実に分離、ろ過することが出来るので固形物でチューブが詰まらない。さらに液状体が底部に残留せず、かつ液状体の外部への流路の最小径がドレーンにより確保されているのでチューブが詰まらない。したがって、液状体を効率よく外部へ取り出すことが出来る。
【図面の簡単な説明】
【図１】本発明の医療用パウチの一実施形態の構成を示す斜視図である。
【図２】（ａ）は図1に示した本発明の医療用パウチのＡ−Ａ’断面を示す斜視図、
（ｂ）は（ａ）のフィルタ表面を示す模式図である。
【図３】本発明の医療用パウチの第２の実施形態を示す斜視図であり、
（ａ）は正面図、
（ｂ）は（ａ）のＢ−Ｂ’断面を示す側面図である。
【図４】本発明の医療用パウチの第３の実施形態を示す斜視図であり、
（ａ）は斜視図、
（ｂ）は（ａ）のＣ−Ｃ’断面を示す斜視図である。
【図５】本発明の医療用パウチの第４の実施形態を示す正面図である。
【図６】本発明の医療用パウチの第５の実施形態を示す正面図である。
【図７】本発明の医療用パウチの第６の実施形態を示す斜視図である。
【図８】本発明の医療用パウチの第７の実施形態を示す背面図である。
【図９】従来の医療用パウチの構成を示す斜視図である。
【図１０】図７のＤ−Ｄ’断面を示す斜視図である。
【図１１】従来の医療用パウチの使用例を示す説明図である。
【符号の説明】
１  医療用パウチ本体
２  パウチ貼付部
２ａ  芯材
３  両面テープ
４  収集部
５  収集開口部
６  封入空気（自然開口構造）
７  ホース（自然開口構造）
１１  フィルタ
１１ａ、１１ｂ  穴
１２  ドレーン
１３  チューブ
１４  連通孔の開口部（外部連通孔の開口部）
１６，１６ａ、１６ｂ      シート
１７ａ、１７ｂ       穴
１８    患部載置用シート
１８ａ    フィルム
１８ｂ    不織布
１８ｃ    吸水シート
１８ｄ    袋部
【図１】
0003738283.tif 000002
【図２】
0003738283.tif 000003
【図３】
0003738283.tif 000004
【図４】
0003738283.tif 000005
【図５】
0003738283.tif 000006
【図６】
0003738283.tif 000007
【図７】
0003738283.tif 000008
【図８】
0003738283.tif 000009
【図９】
0003738283.tif 000010
【図１０】
0003738283.tif 000011
【図１１】
0003738283.tif 000012